(57)【要約】      （修正有）【課題】検出された室温に対し快適とされる湿度になるように、快適性を重視した除湿運転を行う除湿機を提供する。【解決手段】空気中に含まれる水分を除去する除湿手段５と、室内の空気を吸気し、除湿手段５により除湿された乾燥空気を室内に吹き出す送風手段２と、室内の温度を検出する温度検出手段３と、室内の湿度を検出する湿度検出手段４と、温度検出手段３が検出する検出温度と湿度検出手段４が検出する検出湿度により除湿手段５および送風手段２の動作を制御する制御手段７を備え、制御手段７は、除湿運転を行う際の目標とする設定湿度を、少なくとも快適性に関して好適と不適とを区分する指標に基づいた温度・相対湿度の組合せ情報において、検出温度に対し好適範囲の上限側の相対湿度に設定する。【選択図】図２
2020082008.tif 000002
【特許請求の範囲】
【請求項１】
空気中に含まれる水分を除去する除湿手段と、室内の空気を吸気し、前記除湿手段により除湿された乾燥空気を室内に吹き出す送風手段と、室内の温度を検出する温度検出手段と、室内の湿度を検出する湿度検出手段と、前記温度検出手段が検出する検出温度と前記湿度検出手段が検出する検出湿度により前記除湿手段および前記送風手段の動作を制御する制御手段を備え、前記制御手段は、除湿運転を行う際の目標とする設定湿度を、少なくとも快適性に関して好適と不適とを区分する指標に基づいた温度・相対湿度の組合せ情報において、前記検出温度に対し好適範囲の上限側の相対湿度に設定する除湿機。
【請求項２】
温度・相対湿度の前記組合せ情報において、前記指標を絶対湿度とし前記好適範囲を絶対湿度が第１の基準値以下の快適範囲とした場合に対し、前記設定湿度を前記検出温度に対し前記快適範囲の上限側の相対湿度に設定したことを特徴とする請求項１記載の除湿機。
【請求項３】
温度・相対湿度の前記組合せ情報において、前記指標を不快指数とし前記好適範囲を不快指数が第２の基準値を超え第３の基準値以下の快適範囲とした場合に対し、前記設定湿度を前記検出温度に対し前記快適範囲の上限側の相対湿度に設定したことを特徴とする請求項１記載の除湿機。
【請求項４】
温度・相対湿度の前記組合せ情報において、前記指標を暑さ指数とし前記好適範囲を暑さ指数が第４の基準値以下の注意範囲とした場合に対し、前記設定湿度を前記検出温度に対し前記注意範囲の上限側の相対湿度に設定したことを特徴とする請求項１記載の除湿機。
【請求項５】
温度・相対湿度の前記組合せ情報において、前記指標を絶対湿度とし前記好適範囲を絶対湿度が前記第１の基準値未満の快適範囲とした場合、前記指標を不快指数とし前記好適範囲を不快指数が前記第２の基準値以上で前記第３の基準値未満の快適範囲とした場合、及び、前記指標を暑さ指数とし前記好適範囲を暑さ指数が前記第４の基準値未満の注意範囲とした場合に対し、前記３つの指標の内のいずれか２つが好適となる共通好適範囲に対して、前記設定湿度を前記検出温度に対し前記共通好適範囲の上限側の相対湿度に設定したことを特徴とする請求項１記載の除湿機。
【請求項６】
温度・相対湿度の前記組合せ情報において、前記指標を絶対湿度とし前記好適範囲を絶対湿度が前記第１の基準値未満の快適範囲とした場合、前記指標を不快指数とし前記好適範囲を不快指数が前記第２の基準値以上で前記第３の基準値未満の快適範囲とした場合、及び、前記指標を暑さ指数とし前記好適範囲を暑さ指数が前記第４の基準値未満の注意範囲とした場合に対し、前記３つの指標が全て好適となる共通好適範囲に対して、前記設定湿度を前記検出温度に対し前記共通好適範囲の上限側の相対湿度に設定したことを特徴とする請求項１記載の除湿機。
【請求項７】
表示部または報知部をさらに備え、前記検出湿度が前記好適範囲よりも高い側に外れている場合には不適を意味する内容を表示または報知することを特徴とする請求項１記載の除湿機。
【請求項８】
表示部または報知部をさらに備え、前記検出湿度が前記快適範囲よりも高い側に外れている場合には、前記検出湿度に基づいて、おおむね快適、または、不快を意味する内容を表示または報知することを特徴とする請求項２に記載の除湿機。
【請求項９】
表示部または報知部をさらに備え、前記検出湿度が前記快適範囲よりも高い側に外れている場合には、前記検出湿度に基づいて、やや暑い、または、暑いを意味する内容を表示または報知することを特徴とする請求項３に記載の除湿機。
【請求項１０】
表示部または報知部をさらに備え、前記検出湿度が前記注意範囲よりも高い側に外れている場合には、前記検出湿度に基づいて、警戒、厳重警戒または危険を意味する内容を表示または報知することを特徴とする請求項４記載の除湿機。
【発明の詳細な説明】
【技術分野】
【０００１】
本発明は、室内の空気を除湿する除湿機に関するものである。
【背景技術】
【０００２】
従来の除湿機として、温度、湿度を計測するセンサーを有し、動作を保証する室温の範囲が複数の温度帯域に区切られ、各温度帯域に対応した複数の運転モードを有し、温度帯域ごとに目標湿度値をそれぞれ設定し、室温の変化によって運転モードを自動的に切り換えて除湿運転を行う例が提案されている。（例えば、特許文献１参照）。
【先行技術文献】
【特許文献】
【０００３】
【特許文献１】特許第４１７４７５２号公報（特許請求の範囲、図４）
【発明の概要】
【発明が解決しようとする課題】
【０００４】
前述した従来の除湿機においては、センサーにより計測された室温が属する温度帯域により自動で目標とする相対湿度が切り換わるようになっている。各温度帯域での相対湿度による制御のため、ある温度帯域内で設定された相対湿度に制御されたとしても、温度帯域の上限側と下限側とでは空気に含まれる水分量が異なる。また、設定された相対湿度が同じであっても快適とされる室温の範囲が異なるため、快適性を重視したきめ細やかな除湿制御ができないという課題があった。
【０００５】
本発明は、前述のような課題を解決するためになされたものであり、検出された室温に対し快適とされる湿度になるように、快適性を重視した除湿運転を行う除湿機を提供することを目的とする。
【課題を解決するための手段】
【０００６】
本発明に係る除湿機は、空気中に含まれる水分を除去する除湿手段と、室内の空気を吸気し、前記除湿手段により除湿された乾燥空気を室内に吹き出す送風手段と、室内の温度を検出する温度検出手段と、室内の湿度を検出する湿度検出手段と、前記温度検出手段が検出する検出温度と前記湿度検出手段が検出する検出湿度により前記除湿手段および前記送風手段の動作を制御する制御手段を備え、前記制御手段は、除湿運転を行う際の目標とする設定湿度を、少なくとも快適性に関して好適と不適とを区分する指標に基づいた温度・相対湿度の組合せ情報において、前記検出温度に対し好適範囲の上限側の相対湿度に設定するものである。
【発明の効果】
【０００７】
本発明によれば、除湿運転を行う際の目標とする設定湿度を、少なくとも快適性に関して好適と不適とを区分する指標に基づいた温度・相対湿度の組合せ情報において、検出温度に対し好適範囲の上限の相対湿度に設定するので、乾燥し過ぎを抑制し、快適な除湿運転ができる除湿機が得られる。
【図面の簡単な説明】
【０００８】
【図１】実施の形態１に係る除湿機を示す外観斜視図である。
【図２】実施の形態１に係る除湿機の内部を示す概略構成図である。
【図３】実施の形態１に係る除湿機の制御ブロック図である。
【図４】実施の形態１の除湿機における快適除湿運転モードの動作を示すフローチャートである。
【図５】実施の形態１に係る除湿機における、快適と不快とを区分する指標を絶対湿度とした場合の温度・相対湿度の組合せ情報を示すマトリックス図である。
【図６】実施の形態１に係る除湿機における、好適と不適とを区分する指標を不快指数とした場合の温度・相対湿度の組合せ情報を示すマトリックス図である。
【図７】実施の形態１に係る除湿機における、好適と不適とを区分する指標を暑さ指数とした場合の温度・相対湿度の組合せ情報を示すマトリックス図である。
【図８】実施の形態１に係る除湿機における、図５から図７における指標から設定した、検出温度に対する好適範囲の上限の相対湿度ラインを示す図である。
【図９】実施の形態１の除湿機において、図５〜図７における指標が全て好適となる共通好適範囲に対して定めた、検出温度に対する設定湿度を示す図である。
【発明を実施するための形態】
【０００９】
以下、図面を参照してこの発明を実施するための形態について説明する。なお、各図中において、同一又は相当する部分には同一の符号を付すとともに、重複する説明は適宜に簡略化ないし省略する。
【００１０】
実施の形態１．
【００１１】
図１は実施の形態１に係る除湿機を示す外観斜視図、図２は実施の形態１に係る除湿機の制御ブロック図、図３は実施の形態１に係る除湿機の内部を示す概略構成図である。
【００１２】
実施の形態１に係る除湿機は、図１に示すように、自立可能に構成された除湿機筐体１００と、除湿機筐体１００内に室内空気Ａを取り込むための吸込口１０１と、吸込口１０１に取り込まれた空気から除去された水分を溜める貯水タンク１０２と、水分が除去された乾燥空気Ｂを除湿機筐体１００から室内へ吹き出す排気口１０３と、操作部８と、表示部１２とを備える。除湿機筐体１００において、吸込口１０１が設けられる側を背面とし、反対側を前面とする。排気口１０３には、乾燥空気Ｂが吹き出す風向を変えることができる風向可変手段１により構成されている。風向可変手段１は、仰角方向（縦方向）の風向を変えることができる縦方向ルーバー１ａと、方位角方向（横方向）の風向を変えることができる横方向ルーバー１ｂとによって構成されている。運転貯水タンク１０２は、除湿機筐体１００の下部に着脱可能に取り付けられている。
【００１３】
操作部８は、除湿機筐体１００の前面で排気口１０３の下方に設けられる。操作部８には複数の操作ボタンである運転スイッチ８ａ、運転モード切換スイッチ８ｂ、運転時間設定ボタン８ｃ、及び、風向設定キー８ｄが設けられる。運転スイッチ８ａは、押圧することにより、除湿運転開始または除湿運転中断を指示するものである。運転モード切換スイッチ８ｂは、後述する快適性を重視した除湿運転モードである快適運転モード、除湿量「強」運転モード、及び、除湿量「弱」運転モードを切り換えるものである。運転時間設定ボタン８ｃは、運転スイッチ８ａにより除湿運転を開始してから終了するまでの除湿運転継続時間を設定するボタンである。風向設定キー８ｄは、排気口１０３から吹き出される空気の風向を設定するものであり、十字キーで構成する。なお、操作部８は、除湿機筐体１００の上面で、排気口１０３の後方に設けてもよい。
【００１４】
除湿機筐体１００の前面において、操作部８に隣接して表示部１２が設けられる。表示部１２は、ＬＥＤや液晶画面により各種情報を表示する。表示部２は、除湿運転モード（快適除湿運転モード、除湿量「強」運転モード、及び、除湿量「弱」運転モード）を表示する。また、後述するように、現在の湿度の快適性に関する情報を表示する。さらに、運転終了までの残り時間を表示する。なお、表示部１２は、除湿機筐体１００の上面で、排気口１０３の後方に設けてもよい。また、表示部１２は、この位置で操作部８に隣接して設けてもよい。
【００１５】
本実施の形態１の除湿機には、図２に示すように、吸込口１０１から室内空気Ａを吸い込んで排気口１０３から乾燥空気Ｂを室内に吹き出す気流を発生させる送風ファン２と、送風ファン２を回転させるファンモーター２ａと、吸込口１０１から吸引された室内空気Ａの温度を検出する温度センサー３（温度検出手段）と、室内空気Ａの相対湿度を検出する湿度センサー４（湿度検出手段）と、室内空気Ａに含まれる水分を除去して乾燥空気Ｂを生成する除湿装置５（除湿手段）と、縦方向ルーバー１ａを構成し横方向に延設される複数の導風板（図示せず）の向きを仰角方向（縦方向）に変える縦方向可変モーター１ｃと、横方向ルーバー１ｂを構成し縦方向に延設される複数の導風板（図示せず）の向きを方位角方向（横方向）に変える横方向可変モーター１ｄと、制御手段７とを備えている。縦方向可変モーター１ｃ及び横方向可変モーター１ｄは、風向設定キー８ｄの操作により駆動される。十字キーの上下側のキーを押すと縦方向可変モーター１ｃが駆動し、十字キーの左右側のキーを押すと横方向可変モーター１ｄが駆動する。温度センサー３及び湿度センサー４は、それぞれ、吸込口１０１から吸気された室内空気Ａに対し、除湿装置５の上流側で、温度及び相対湿度を検出する。
【００１６】
除湿装置５は、空気中の水分を除去させることができるものであれば良い。例えば、冷媒が循環するヒートポンプ回路の一部を構成する蒸発器において、空気を露点以下に冷却して凝縮させることにより空気中の水分を除去させる方式や、吸着剤によって除去された空気中の水分を熱交換器で凝縮させるデシカント方式などが用いられている。除湿装置５によって室内空気Ａから除去された水分は、凝縮水Ｃとして貯水タンク１０２に貯留される。
【００１７】
本実施の形態１の除湿機はヒートポンプ回路を備えた方式の場合を例にとり説明する。また、ヒートポンプ回路における圧縮機を駆動するモータはインバータで制御されるものとし、圧縮機の単位時間当たりの回転数を可変して除湿量を調整できる構成とする。
【００１８】
図３において、７は除湿機全体の運転を制御する制御手段で、入力回路７ａ、出力回路７ｂ、ＣＰＵ７ｃ、記憶部７ｄを有し、運転開始からの運転時間を計時するタイマー部７ｅを備えている。操作部８における運転スイッチ８ａ、運転モード切替スイッチ８ｂ、運転時間設定ボタン８ｃ及び風向設定キー８ｄからの制御信号、温度センサー３並びに湿度センサー４の検出信号は入力回路７ａに入力され、入力回路７ａからＣＰＵ７ｃへ出力される。除湿装置５、ファンモーター２ａ、表示部１２、縦方向可変モーター１ｃ及び横方向可変モーター１ｄは出力回路７ｃに接続される。ＣＰＵ７ｃからの制御指令信号が出力回路７ｂに出力され、出力回路７ｂを介して、除湿装置５、ファンモーター２ａ、表示部１２、縦方向可変モーター１ｃ及び横方向可変モーター１ｄに出力され、制御する。記憶部７ｄは、後述する除湿運転開始時の除湿運転モード、除湿運転時間、複数段階に区分けされた室温範囲の上限温度と下限温度、テーブル番号、設定湿度、除湿量「強」運転及び除湿量「弱」運転に対応した、圧縮機の単位時間当たりの第１の圧縮機回転数及び第２の圧縮機回転数、ファンモータの単位時間当たりの第１の送風ファン回転数及び第２の送風ファン回転数が記憶される。なお、記憶部７ｄは、除湿運転開始後に温度センサー３の検出温度に基づいて変更されたテーブル番号も記憶される。
【００１９】
制御手段７は、除湿機筐体１００の前面に配置された操作部８の運転スイッチ８ａが操作されたことを検知すると、除湿装置５を駆動する。また、ファンモーター２ａを駆動して送風ファン２を回転させ、吸込口１０１から室内空気Ａを吸気し、除湿装置５により除湿された乾燥空気Ｂを室内に吹き出す気流を発生させる。また、運転モード切換スイッチ８ｂの操作により選択された除湿運転モードに対応して、除湿装置５及びファンモーター２ａを制御する。また、制御手段７は、風向設定キー８ｄからの操作に基づいて風向可変手段１の縦方向可変モーター１ｃと横方向可変モーター１ｄを駆動して、送風方向を所望の方向に設定する。これにより、室内空気Ａは、吸込口１０１から除湿機筐体１００内に取り込まれ、温度センサー３及び湿度センサー４によりそれぞれ室内の温度と相対湿度が検出された後、除湿手段５により除湿されて乾燥空気Ｂとなり、排気口１０３から室内に吹き出される。
【００２０】
次に、除湿機の除湿運転モードの動作について説明する。
図４は、実施の形態１に係る除湿機の快適除湿運転モードのときの動作を示すフローチャートである。図５は、実施の形態１に係る除湿機における、快適と不快とを区分する指標を絶対湿度とした場合の温度・相対湿度の組合せ情報を示すマトリックス図である。図６は、実施の形態１に係る除湿機における、好適と不適とを区分する指標を不快指数とした場合の温度・相対湿度の組合せ情報を示すマトリックス図である。図７は、実施の形態１に係る除湿機における、好適と不適とを区分する指標を暑さ指数とした場合の温度・相対湿度の組合せ情報を示すマトリックス図である。図８は、実施の形態１に係る除湿機における、図５から図７における指標から設定した、検出温度に対する好適範囲の上限の相対湿度ラインを示す図である。図９は、実施の形態１の除湿機において、図５〜図７における指標が全て好適となる共通好適範囲に対して定めた、検出温度に対する設定湿度を示す図である。
【００２１】
除湿運転モードの中で快適性を重視した快適除湿運転モードの動作について、図４を用いて説明する。
【００２２】
除湿機の制御手段７は、Ｓ１において運転スイッチ８ａが操作されたことを検知すると、除湿運転モードを快適除湿運転モードに設定し、除湿運転時間を所定時間、例えば、２時間に設定し、タイマー部７ｅの計時を開始する。また、後述する室温範囲に対応するテーブル番号を「５」に設定する（図９参照）。また、圧縮機の単位時間当たりの回転数を、後述する除湿量「強」運転に対応する第１の圧縮機回転数に設定する。さらに、ファンモータ２ａの単位時間当たりの回転数を、後述する除湿量「強」運転に対応する第１の送風ファン回転数に設定する。これらの初期の除湿運転モード、除湿運転時間、テーブル番号、第１の圧縮機回転数及び第１の送風ファン回転数は記憶部７ｄに記憶される。運転スイッチ８ａが操作されたときに記憶部７ｄに記憶されている上記の情報が読みだされ、制御手段７の制御情報として設定される。そして、除湿装置５及びファンモーター２ａへの通電を開始する。このとき、制御手段７は、表示部１２に、除湿運転モードが快適除湿運転モードであることと、除湿運転終了までの残り時間を表示する。なお、運転時間設定ボタン８ｃを操作することにより、除湿運転継続時間を変更することができる。また、風向設定キー８ｄを操作することにより、排気口１０３から吹き出される乾燥空気Ｂの風向を調整して設定できる。そして、Ｓ２に進む。
【００２３】
Ｓ２において、温度センサー３が室内の温度を検出し、湿度センサー４が室内の相対湿度を検出して、現在の室内温度、相対湿度の測定を行う。そしてＳ３へ進む。
【００２４】
Ｓ３において、Ｓ２で測定した室内の検出温度が、図９に示すどの室温範囲に属するか温度判定を行い、対応するテーブル番号を設定する。例えば、検出温度が２３．５℃の場合は、テーブル番号「３」を設定する。そして、Ｓ４に進む。
【００２５】
Ｓ４において、除湿運転時の目標とする設定湿度（相対湿度）を後述の設定湿度テーブル（図９参照）に基づき切換えるかどうかを判断する。制御手段７は、記憶部７ｄに記憶されるテーブル番号とＳ２で設定されたテーブル番号とを比較し、両者が一致している場合は設定湿度テーブルの切り換えは不要と判断し（Ｓ４においてＮｏ）、Ｓ６へ進む。両者が一致していない場合は設定湿度テーブルの切り換えが必要と判断し（Ｓ４においてＹｅｓ）、Ｓ５へ進む。
【００２６】
Ｓ５において、Ｓ２で設定されたテーブル番号を記憶部７ｄに更新記憶する。そして、Ｓ６へ進む。今回の例ではＳ３で測定した検出温度が２３．５℃であり、対応するテーブル番号は「３」となる。一方、Ｓ１においてテーブル番号「５」が設定されているので、記憶部７ｄに記憶されるテーブル番号を「５」から「３」に更新記憶する。そして、除湿運転の目標とする相対湿度を、更新記憶したテーブル番号に対応した設定湿度に変更する（図９参照）。
【００２７】
ここで図５〜図９を用いて実施の形態１に係る設定湿度テーブルの決め方について説明する。
【００２８】
図５は縦軸に乾球温度、横軸に相対湿度を示し、各温度、相対湿度ごとの絶対湿度（重量絶対湿度）をマトリックス状に示したものである。絶対湿度は、快適性に関して好適と不適とを区分する指標の例である。図５は、好適と不適とを区分する指標（絶対湿度）に基づいた温度・相対湿度の組合せ情報の例である。好適範囲は、絶対湿度が後述する第１の基準値以下の快適範囲である。ＡＳＨＲＡＥ（アメリカ暖房冷凍空調学会）で規定されている快適範囲では、絶対湿度１２ｇ／ｋｇ（ＤＡ）（ＤＡ：Ｄｒｙ  Ａｉｒ）以下が快適とされているが、実施の形態１ではさらに人の感じ方を考慮し尤度をとって１０ｇ／ｋｇ（ＤＡ）（請求項における第１の基準値）以下を「快適」、１０〜１２ｇ／ｋｇ（ＤＡ）を「おおむね快適」、１２ｇ／ｋｇ（ＤＡ）を超える範囲を「不快」として閾値を設定した。そして「快適」と「おおむね快適」の境界を絶対湿度による「快適」維持ラインとして設定している。つまり、除湿運転を行う際の目標とする設定湿度を、温度センサー３の検出温度を代表する乾球温度に対し好適範囲である快適範囲の上限側の相対湿度に設定している。検出温度を代表する乾球温度とは、例えば、検出温度が２３．５℃の場合、２３℃以上で２４℃未満とする２３℃を、検出温度を代表する乾球温度とし、以下の図６、図７及び図８の場合も同様である。
【００２９】
図６は縦軸に乾球温度、横軸に相対湿度を示し、各温度、相対湿度ごとの不快指数をマトリックス状に示したものである。不快指数は、快適性に関して好適と不適とを区分する指標の例である。好適範囲は、不快指数が後述する第２の基準値を超え第３の基準値未満の快適範囲である。図５は、好適と不適とを区分する指標（不快指数）に基づいた温度・相対湿度の組合せ情報の例である。不快指数は、乾球温度をＴｄ（℃）、相対湿度をＨ（％）とすると、
不快指数＝０．８１Ｔｄ＋０．０１Ｈ（０．９９Ｔｄ−１４．３）＋４６．３
で計算される。図６は各温度（乾球温度）、湿度（相対湿度）毎の不快指数をまとめたものである。不快指数と体感の関係では、不快指数７５（請求項における第３の基準値）を境にして、不快指数７５以下（、不快指数６５を超える）が「快適」、不快指数７５を超える範囲が「不快」となっている。「不快」の範囲について、不快指数が７５を超え８０未満が「やや厚い」、不快指数が８０を超える範囲が「暑い」となっている。実施の形態１では不快指数７５を境界とした不快指数による「快適」維持ラインとして設定している。つまり、除湿運転を行う際の目標とする設定湿度を、温度センサー３の検出温度を代表する乾球温度に対し好適範囲である快適範囲の上限側の相対湿度に設定している。
【００３０】
図７は縦軸に乾球温度、横軸に相対湿度を示し、各温度、相対湿度ごとの暑さ指数をマトリックス状に示したものである。暑さ指数は、快適性に関して好適と不適とを区分する指標の例である。図７は、好適と不適とを区分する指標（暑さ指数）に基づいた温度・相対湿度の組合せ情報の例である。好適範囲は、暑さ指数が後述する第４の基準値以下の注意範囲である。暑さ指数（ＷＢＧＴ（湿球黒球温度）：Ｗｅｔ  Ｂｕｌｂ  Ｇｌｏｂｅ  Ｔｅｍｐｅｒａｔｕｒｅ）は、熱中症を予防することを目的として１９５４年にアメリカで提案された指標である。単位は気温と同じ摂氏度（℃）で示されるが、その値は気温とは異なる。暑さ指数は人体と外気との熱のやりとり（熱収支）に着目した指標で、人体の熱収支に与える影響の大きい「湿度」、「日射・輻射」など周辺の熱環境、「気温」の３つを取り入れた指標となっている。近年は熱中症予防の観点から、夏季には環境省の熱中症予防情報サイトでも公表されている。暑さ指数には「快適」の指標は無いが、暑さ指数２５℃を超えると熱中症予防に対して「警戒」となることから、実施の形態１では暑さ指数２５℃を境界として暑さ指数による「注意」維持ラインとして設定している。つまり、除湿運転を行う際の目標とする設定湿度を、温度センサー３の検出温度を代表する乾球温度に対し好適範囲である注意範囲の上限側の相対湿度に設定している。
【００３１】
以上の３つの指標（絶対湿度、不快指数、暑さ指数）にて設定した「好適」もしくは「不適」維持ライン（温湿度制御ライン）を一つの温度・湿度マトリックス上に示したものが図８である。一点鎖線が絶対湿度における好適範囲の上限側の相対湿度である「快適」維持ライン、実線が不快指数における好適範囲の上限側の相対湿度である「快適」維持ライン、破線が暑さ指数における好適範囲の上限側の相対湿度である「注意」維持ラインである。また網掛け部はこれら３つの指標をすべて満足する共通好適範囲となっている。除湿運転によりこの共通好適範囲の温度湿度を保つことができれば熱中症予防をしつつ快適性も維持することが可能となる。実施の形態１では、図８の網掛け部の共通好適範囲において、境界線を、３指標すべてを満足する温湿度制御ラインとして設定している。つまり、３つの指標が全て好適となる共通好適範囲に対して、除湿運転を行う際の目標とする設定湿度を、温度センサー３の検出温度を代表する乾球温度に対し共通好適範囲の上限側の相対湿度に設定している。
【００３２】
除湿運転を行う際の目標とする設定湿度を、温度センサー３の検出温度を代表する乾球温度に対し共通好適範囲の上限側の相対湿度よりも低い相対湿度に設定した場合は、より空気が乾燥するものの、快適性という観点では快適の範囲となり問題がない。しかし、除湿運転開始時の室内湿度が共通好適範囲の上限側の設定湿度より高い場合に、この目標とする設定湿度を、温度センサー３の検出温度を代表する乾球温度に対し共通好適範囲の上限側の相対湿度に設定することにより、室内湿度が設定湿度に至るまでの時間が短くなり、除湿機の消費電力量を抑制できるので、使い勝手がよい除湿機が得られる。また、共通好適範囲の上限側の相対湿度よりも低い相対湿度では、空気が乾燥し、肌が乾燥したり、インフルエンザに感染しやすくなる虞があるが、共通好適範囲の上限側の相対湿度では、快適性を担保できるとともに、肌の乾燥やインフルエンザの感染のリスクを低減できる効果がある。
【００３３】
このようにして設定した温湿度制御ラインを元にして、実施の形態１では図９に示すように、除湿運転に使用する室温を１℃刻みの複数の室温範囲に区切って、各室温範囲に対応して、テーブル番号と除湿運転の目標とする設定湿度を定めた設定湿度テーブルを作成した。記憶部７ｄには、各室温範囲の下限値または上限値、テーブル番号、及び設定湿度からなるテーブル情報を記憶している。
【００３４】
図４の快適除湿運転モードの動作の説明に戻る。
Ｓ６において、Ｓ２にて測定した現在の室内の相対湿度である湿度センサー４の検出湿度と設定湿度との差ΔＨ（＝現在湿度−設定湿度）を算出する。そして、Ｓ７へ進む。
【００３５】
Ｓ７において、算出したΔＨが０％を超えるか否かを判定する。すなわち現在湿度が設定湿度に達しているか否かを判定する。現在湿度が設定湿度に達していない場合（Ｓ７にてＹｅｓの場合）、Ｓ８に進む。現在湿度が設定湿度に達している場合（Ｓ７にてＮｏの場合）、Ｓ８に進む。
【００３６】
Ｓ８において、制御手段７は、送風ファン２および除湿手段５を除湿量「強」運転で制御する。すなわち、制御手段７は、圧縮機の単位時間当たりの回転数を第１の圧縮機回転数に設定し、ファンモーター２ａの単位時間当たりの回転数を第１の送風ファン回転数に設定して、圧縮機を有するヒートポンプ回路を備えた除湿装置５及び送風ファン２を駆動する。そして、Ｓ１０へ進む。
【００３７】
Ｓ９において、制御手段７は、送風ファン２および除湿手段５を除湿量「弱」運転で制御する。すなわち、制御手段７は、圧縮機の単位時間当たりの回転数を、第１の圧縮機回転数より小さい第２の圧縮機回転数に設定し、ファンモーター２ａの単位時間当たりの回転数を第１の送風ファン回転数よりも小さい第２の送風ファン回転数に設定して、圧縮機を有するヒートポンプ回路を備えた除湿装置５及び送風ファン２を駆動する。そして、Ｓ１０へ進む。
【００３８】
なお、Ｓ９では除湿量「弱」運転としなくても、送風ファン２だけを運転させて、単に送風運転としても良い。また送風ファン２、除湿手段５を共に一旦停止させて待機状態とするようにしても良い。
【００３９】
Ｓ１０において、運転モード切換スイッチ８ｂが操作されない場合はＳ１２に進む。運転モード切換スイッチ８ｂが操作され、快適除湿運転モードと異なる他の除湿運転モード、が選択されたことを検知すると、Ｓ１１で他の除湿運転モードに移行する。他の除湿運転モードとしては、「強」運転モード、及び、「弱」運転モードがある。「強」運転モードは、除湿運転において目標」とする設定湿度を設けず、前記の除湿量「強」運転を運転時間設定ボタンにより設定された運転終了時間まで継続して運転するモードである。「強」運転モードに移行すると、制御手段７は表示部１２に、除湿運転モードが「強」運転モードであることを表示する。次に、「弱」運転モードは、除湿運転において目標」とする設定湿度を設けず、前記の除湿量「弱」運転を運転時間設定ボタンにより設定された運転終了時間まで継続して運転するモードである。「弱」運転モードに移行すると、制御手段７は表示部１２に、除湿運転モードが「弱」運転モードであることを表示する。なお、除湿量「強」運転中、または、除湿量「弱」運転中に運転スイッチ８ａが操作されると、運転を停止する。
【００４０】
Ｓ１２において、タイマー部７ｅが計時する除湿運転時間が運転時間設定ボタン８ｃにより設定された除湿運転継続時間に達したか否かを判定する。タイマー部７ｅが計時する除湿運転時間が運転時間設定ボタン８ｃにより設定された除湿運転継続時間に達した場合（Ｓ１２でＹｅｓの場合）はＳ１３に進む。タイマー部７ｅが計時する除湿運転時間が運転時間設定ボタン８ｃにより設定された除湿運転継続時間に達していない場合（Ｓ１２でＮｏの場合）はＳ２に戻る。なお、運転スイッチ８ａが操作された場合もＳ１３へ進む。
【００４１】
Ｓ１３において、制御手段７は除湿装置５及びファンモーター２ａへの通電を停止し、除湿運転を終了する。
【００４２】
以上のように本実施の形態１によれば、空気中に含まれる水分を除去する除湿手段と、室内の空気を吸気し、前記除湿手段により除湿された乾燥空気を室内に吹き出す送風手段と、室内の温度を検出する温度検出手段と、室内の湿度を検出する湿度検出手段と、温度検出手段が検出する検出温度と湿度検出手段が検出する検出湿度により除湿手段および送風手段の動作を制御する制御手段を備え、制御手段は、除湿運転を行う際の目標とする設定湿度を、少なくとも快適性に関して好適と不適とを区分する指標に基づいた温度・相対湿度の組合せ情報において、検出温度に対し好適範囲の上限側の相対湿度に設定したので、乾燥し過ぎを抑制し、快適な除湿運転ができる除湿機が得られる。
【００４３】
また、検出温度に対して検出湿度が好適範囲を外れている場合、制御手段７は表示部１２に不適である内容を意味する表示をしてもよい。さらに、制御手段７に接続される報知部をさらに設け、制御手段７は報知部に不適である内容を報知するようにしてもよい。
【００４４】
また、温度・相対湿度の組合せ情報において、指標を絶対湿度とし好適範囲を絶対湿度が第１の基準値未満の快適範囲とした場合、指標を不快指数とし好適範囲を不快指数が第２の基準値以上で第３の基準値未満の快適範囲とした場合、及び、指標を暑さ指数とし好適範囲を暑さ指数が第４の基準値未満の注意範囲とした場合に対し、これら３つの指標が全て好適となる共通好適範囲に対して、除湿運転を行う際の目標とする設定湿度を前記検出温度に対し共通好適範囲の上限側の相対湿度に設定したので、乾燥し過ぎを抑制し、熱中症を予防できるとともに快適な除湿運転ができる除湿機が得られる。
【００４５】
また、快適性に関して好適と不適とを区分する指標を絶対湿度とし、好適範囲を絶対湿度が第１の基準値未満の快適範囲として、除湿運転を行う際の目標とする設定湿度を検出温度に対好適範囲の上限側の相対湿度に設定してもよい。乾燥し過ぎを抑制し、快適な除湿運転ができる除湿機が得られる。
【００４６】
また、快適性に関して好適と不適とを区分する指標を絶対湿度とした場合、検出温度に対して検出湿度が好適範囲を外れている場合、制御手段７は、表示部１２に、検出湿度に基づいて、「おおむね快適」（例えば、絶対湿度が１０ｇ／ｋｇ（ＤＡ）以上１２ｇ／ｋｇ（ＤＡ）未満）または「不快」（例えば、絶対湿度が１２ｇ／ｋｇ（ＤＡ）以上）（図５参照）を意味する内容を表示するようにしてもよい。記憶部７ｄに、予め、検出温度を代表する乾球温度毎に「おおむね快適」と「不快」を判断する相対湿度を記憶しておく。検出温度に対して検出湿度が快適範囲を外れている場合、制御手段７は、表示部１２に、検出温度と検出湿度により記憶部７ｄに記憶される情報から、「おおむね快適」または「不快」を意味する内容を表示する。除湿機の使用者は現在の温湿度状況を認識することができ、使い勝手がよい除湿機が得られる。
【００４７】
さらに、快適性に関して好適と不適とを区分する指標を絶対湿度とした場合、制御手段７に接続される報知部をさらに設け、検出湿度が快適範囲よりも高い側に外れている場合には、制御手段７は報知部に「おおむね快適」または「不快」を意味する報知をしてもよい。さらに除湿を促すように報知するようにしても良い。除湿機の使用者は現在の快適性の状況を容易に認識することができ、使い勝手がよい除湿機が得られる。
【００４８】
また、快適性に関して好適と不適とを区分する指標を不快指数とし、好適範囲を不快指数が第２の基準値を超え第３の基準値以下の快適範囲として、除湿運転を行う際の目標とする設定湿度を検出温度に対好適範囲の上限側の相対湿度に設定してもよい。快適性を重視した除湿運転ができる除湿機が得られる。
【００４９】
また、快適性に関して好適と不適とを区分する指標を不快指数とした場合、検出温度に対して検出湿度が好適範囲を外れている場合、制御手段７は、表示部１２に、検出湿度に基づいて、「やや暑い」（例えば、不快指数が７５以上８０未満）または「暑い」（例えば、不快指数が８０以上）（図６参照）を意味する内容を表示するようにしてもよい。記憶部７ｄに、予め、検出温度を代表する乾球温度毎に「やや暑い」と「暑い」を判断する相対湿度を記憶しておく。検出温度に対して検出湿度が快適範囲を外れている場合、制御手段７は、表示部１２に、検出温度と検出湿度により記憶部７ｄに記憶される情報から、「やや暑い」または「暑い」を意味する内容を表示する。除湿機の使用者は現在の快適性の状況を認識することができ、使い勝手がよい除湿機が得られる。
【００５０】
さらに、快適性に関して好適と不適とを区分する指標を不快指数とした場合、制御手段７に接続される報知部をさらに設け、検出湿度が快適範囲よりも高い側に外れている場合には、制御手段７は報知部に「やや暑い」または「暑い」を意味する報知をしてもよい。さらに除湿を促すように報知するようにしても良い。除湿機の使用者は現在の快適性の状況を容易に認識することができ、使い勝手がよい除湿機が得られる。
【００５１】
また、快適性に関して好適と不適とを区分する指標を暑さ指数とし、好適範囲を暑さ指数が第４の基準値以下の注意範囲として、除湿運転を行う際の目標とする設定湿度を検出温度に対し注意範囲の上限側の相対湿度に設定してもよい。熱中症の予防を重視した除湿運転ができる除湿機が得られる。
【００５２】
また、快適性に関して好適と不適とを区分する指標を暑さ指数とした場合、検出温度に対して検出湿度が好適範囲を外れている場合、制御手段７は、表示部１２に、検出湿度に基づいて、「警戒」（例えば、暑さ指数が２５℃以上２８℃未満）、「厳重警戒」（例えば、暑さ指数が２８℃以上３１℃未満）、または、「危険」（例えば、暑さ指数が３１℃以上）（図７参照）を意味する内容を表示するようにしてもよい。記憶部７ｄに、検出温度を代表する乾球温度毎に「警戒」、「厳重警戒」及び「危険」を判断する相対湿度を記憶しておく。検出温度に対して検出湿度が快適範囲を外れている場合、制御手段７は、表示部１２に、検出温度と検出湿度により記憶部７ｄに記憶される情報から、「警戒」、「厳重警戒」または「危険」を意味する内容を表示する。
【００５３】
さらに、制御手段７に接続される報知部をさらに設け、検出湿度が快適範囲よりも高い側に外れている場合には、制御手段７は報知部に「警戒」、「厳重警戒」または「危険」を意味する報知をしてもよい。さらに除湿を促すように報知するようにしても良い。
【００５４】
また、快適性に関して好適と不適とを区分する指標を絶対湿度、不快指数、または暑さ指数の３つの指標の内のいずれか２つの指標が好適となる共通好適範囲として、除湿運転を行う際の目標とする設定湿度を検出温度に対し共通好適範囲の上限側の相対湿度に設定してもよい。乾燥し過ぎを抑制し、快適な除湿運転ができる除湿機が得られる。
【００５５】
なお、実施の形態１では、好適と不適とを区分する指標に基づいた温度・相対湿度の組合せ情報に基づき設定した温湿度制御ラインを元に設定湿度テーブルを作成したが、テーブルではなく温度と湿度の関係を数式化して、ＣＰＵ７ｃにて演算処理させて、検知温度に対する設定湿度を決定するようにしても良い。
【符号の説明】
【００５６】
１  風向可変手段
１ａ  縦方向ルーバー
１ｂ  横方向ルーバー
１ｃ  縦方向可変モーター
１ｄ  横方向可変モーター
２  送風ファン
２ａ  ファンモーター
３  温度センサー
４  湿度センサー
５  除湿装置
７  制御手段
７a  入力回路
７ｂ  出力回路
７ｃ  ＣＰＵ
７ｄ  記憶部
７ｅ  タイマー部
８  操作部
８ａ  運転スイッチ
８ｂ  運転モード切換スイッチ
８ｃ  運転時間設定ボタン
８ｄ  風向設定キー
１２  表示部
１００  除湿機筐体
１０１  吸込口
１０２  貯水タンク
１０３  排気口
Ａ  室内空気
Ｂ  乾燥空気。
【図１】
2020082008.tif 000003
【図２】
2020082008.tif 000004
【図３】
2020082008.tif 000005
【図４】
2020082008.tif 000006
【図５】
2020082008.tif 000007
【図６】
2020082008.tif 000008
【図７】
2020082008.tif 000009
【図８】
2020082008.tif 000010
【図９】
2020082008.tif 000011